【手続補正書】
【提出日】平成23年1月6日(2011.1.6)
【手続補正１】
【補正対象書類名】特許請求の範囲
【補正対象項目名】全文
【補正方法】変更
【補正の内容】
【特許請求の範囲】
【請求項１】
キャリア及びトナー粒子を含む液体現像剤で現像された像を担持する像担持体と、
バイアス電圧ＶAが印加されると共に前記像担持体に当接する像担持体クリーニングロー
ラと、
前記像担持体に担持された前記像が転写される中間転写体と、
バイアス電圧ＶBが印加されると共に前記中間転写体に当接する中間転写体クリーニング
ローラと、を有し、
前記バイアス電圧ＶAと前記バイアス電圧ＶBとは、
ＶA＜ＶB
の関係を有することを特徴とする画像形成装置。
【請求項２】
キャリア及び第１色トナー粒子を含む第１の液体現像剤で現像された第１の像を担持する第１像担持体と、
前記キャリア及び第２色トナー粒子を含む第２の液体現像剤で現像された第２の像を担持する第２像担持体と、
前記キャリア及び第３色トナー粒子を含む第３の液体現像剤で現像された第３の像を担持する第３像担持体と、
前記キャリア及び第４色トナー粒子を含む第４の液体現像剤で現像された第４の像を担持する第４像担持体と、
バイアス電圧ＶA1が印加されると共に前記第１像担持体に当接する第１像担持体クリーニングローラと、
バイアス電圧ＶA2が印加されると共に前記第２像担持体に当接する第２像担持体クリーニングローラと、
バイアス電圧ＶA3が印加されると共に前記第３像担持体に当接する第３像担持体クリーニングローラと、
バイアス電圧ＶA4が印加されると共に前記第４像担持体に当接する第４像担持体クリーニングローラと、
前記第１の像、前記第２の像、前記第３の像及び前記第４の像が転写される中間転写体と、
バイアス電圧ＶBが印加されると共に前記中間転写体に当接する中間転写体クリーニング
ローラと、を有し、
前記バイアス電圧ＶA1、前記バイアス電圧ＶA2、前記バイアス電圧ＶA3、前記バイアス電圧ＶA3、及び前記バイアス電圧ＶBは、
ＶA1＜ＶB、ＶA2＜ＶB、ＶA3＜ＶB、ＶA4＜ＶB
の関係を有することを特徴とする画像形成装置。
【請求項３】
前記バイアス電圧ＶA1、前記バイアス電圧ＶA2、前記バイアス電圧ＶA3、前記バイアス電圧ＶA3、及び前記バイアス電圧ＶBは、
ＶA1＜ＶA4、ＶA2＜ＶA4、ＶA3＜ＶA4
の関係を有する請求項２に記載の画像形成装置。
【請求項４】
前記第１像担持体に当接する第１像担持体クリーニングブレードと、
前記中間転写体に当接する中間転写体クリーニングブレードと、を有する請求項１乃至請求項３のいずれか１つに記載の画像形成装置。
【請求項５】
前記中間転写体は、弾性層を有する請求項１乃至請求項４のいずれか１つに記載の画像
形成装置。
【請求項６】
前記第１像担持体クリーニングブレードが前記第１像担持体に当接する角度は、前記中間転写体クリーニングブレードが前記中間転写体に当接する角度より大きい請求項４又は請求項５に記載の画像形成装置。
【請求項７】
キャリア及びトナー粒子を含む液体現像剤で像担持体を現像し、
前記像担持体に現像された像を中間転写体に転写し、
前記像を前記中間転写体に転写した前記像担持体に、バイアス電圧ＶＡが印加された像担持体クリーニングローラを当接させて前記像担持体をクリーニングし、
前記中間転写体に転写された前記像を記録媒体に転写し、
前記記録媒体に前記像を転写した前記中間転写体に、前記バイアス電圧ＶAよりも大きい
バイアス電圧ＶBが印加された像担持体クリーニングローラを当接させて前記中間転写体
をクリーニングすることを特徴とする画像形成方法。
【手続補正２】
【補正対象書類名】明細書
【補正対象項目名】発明の名称
【補正方法】変更
【補正の内容】
【発明の名称】画像形成装置及び画像形成方法
【手続補正３】
【補正対象書類名】明細書
【補正対象項目名】０００６
【補正方法】変更
【補正の内容】
【０００６】
本発明は上記課題を解決するためのもので、本発明に係る画像形成装置は、キャリア及びトナー粒子を含む液体現像剤で現像された像を担持する像担持体と、バイアス電圧ＶA
が印加されると共に前記像担持体に当接する像担持体クリーニングローラと、前記像担持体に担持された前記像が転写される中間転写体と、バイアス電圧ＶBが印加されると共に
前記中間転写体に当接する中間転写体クリーニングローラと、を有し、前記バイアス電圧ＶAと前記バイアス電圧ＶBとは、ＶA＜ＶBの関係を有することを特徴とする。
【手続補正４】
【補正対象書類名】明細書
【補正対象項目名】０００７
【補正方法】変更
【補正の内容】
【０００７】
また、本発明に係る画像形成装置は、キャリア及び第１色トナー粒子を含む第１の液体現像剤で現像された第１の像を担持する第１像担持体と、前記キャリア及び第２色トナー粒子を含む第２の液体現像剤で現像された第２の像を担持する第２像担持体と、前記キャリア及び第３色トナー粒子を含む第３の液体現像剤で現像された第３の像を担持する第３像担持体と、前記キャリア及び第４色トナー粒子を含む第４の液体現像剤で現像された第４の像を担持する第４像担持体と、バイアス電圧ＶA1が印加されると共に前記第１像担持体に当接する第１像担持体クリーニングローラと、バイアス電圧ＶA2が印加されると共に前記第２像担持体に当接する第２像担持体クリーニングローラと、バイアス電圧ＶA3が印加されると共に前記第３像担持体に当接する第３像担持体クリーニングローラと、バイアス電圧ＶA4が印加されると共に前記第４像担持体に当接する第４像担持体クリーニングローラと、前記第１の像、前記第２の像、前記第３の像及び前記第４の像が転写される中間転写体と、バイアス電圧ＶBが印加されると共に前記中間転写体に当接する中間転写体ク
リーニングローラと、を有し、前記バイアス電圧ＶA1、前記バイアス電圧ＶA2、前記バイアス電圧ＶA3、前記バイアス電圧ＶA3、及び前記バイアス電圧ＶBは、ＶA1＜ＶB、ＶA2＜ＶB、ＶA3＜ＶB、ＶA4＜ＶBの関係を有することを特徴とする。
【手続補正５】
【補正対象書類名】明細書
【補正対象項目名】０００８
【補正方法】変更
【補正の内容】
【０００８】
また、本発明に係る画像形成装置は、前記バイアス電圧ＶA1、前記バイアス電圧ＶA2、前記バイアス電圧ＶA3、前記バイアス電圧ＶA3、及び前記バイアス電圧ＶBは、ＶA1＜ＶA4、ＶA2＜ＶA4、ＶA3＜ＶA4の関係を有する。
【手続補正６】
【補正対象書類名】明細書
【補正対象項目名】０００９
【補正方法】変更
【補正の内容】
【０００９】
また、本発明に係る画像形成装置は、前記第１像担持体に当接する第１像担持体クリーニングブレードと、前記中間転写体に当接する中間転写体クリーニングブレードと、を有する。
【手続補正７】
【補正対象書類名】明細書
【補正対象項目名】００１０
【補正方法】変更
【補正の内容】
【００１０】
また、本発明に係る画像形成装置は、前記中間転写体は、弾性層を有する。
【手続補正８】
【補正対象書類名】明細書
【補正対象項目名】００１１
【補正方法】変更
【補正の内容】
【００１１】
また、本発明に係る画像形成装置は、前記第１像担持体クリーニングブレードが前記第１像担持体に当接する角度は、前記中間転写体クリーニングブレードが前記中間転写体に当接する角度より大きい。
【手続補正９】
【補正対象書類名】明細書
【補正対象項目名】００１２
【補正方法】変更
【補正の内容】
【００１２】
また、本発明に係る画像形成方法は、キャリア及びトナー粒子を含む液体現像剤で像担持体を現像し、前記像担持体に現像された像を中間転写体に転写し、前記像を前記中間転写体に転写した前記像担持体に、バイアス電圧ＶＡが印加された像担持体クリーニングローラを当接させて前記像担持体をクリーニングし、前記中間転写体に転写された前記像を記録媒体に転写し、前記記録媒体に前記像を転写した前記中間転写体に、前記バイアス電圧ＶAよりも大きいバイアス電圧ＶBが印加された像担持体クリーニングローラを当接させて前記中間転写体をクリーニングすることを特徴とする。
【手続補正１０】
【補正対象書類名】明細書
【補正対象項目名】００１３
【補正方法】削除
【補正の内容】
【手続補正１１】
【補正対象書類名】明細書
【補正対象項目名】０１１６
【補正方法】変更
【補正の内容】
【０１１６】
なお、本明細書においては、種々の実施の形態について説明したが、それぞれの実施の形態の構成を適宜組み合わせて構成された実施形態も本発明の範疇となるものである。
以下、本発明の参考実施形態について付記しておく。本発明の参考実施形態に係る画像形成装置は、キャリアとトナー粒子とを含む液体現像剤による現像像を担持する像担持体と、バイアス電圧ＶAが印加されると共に前記像担持体に当接する像担持体クリーニン
グローラと、前記像担持体から現像像が転写される中間転写体と、バイアス電圧ＶBが印
加されると共に前記中間転写体に当接する中間転写体クリーニングローラと、を有し、前記バイアス電圧ＶAと前記バイアス電圧ＶBとの間に、ＶA＜ＶBの関係を有することを特徴とする。
また、本発明の参考実施形態に係る画像形成装置は、キャリアと第１色トナー粒子とを含む液体現像剤による現像像を担持する第１像担持体と、キャリアと第２色トナー粒子とを含む液体現像剤による現像像を担持する第２像担持体と、キャリアと第３色トナー粒子とを含む液体現像剤による現像像を担持する第３像担持体と、キャリアと第４色トナー粒子とを含む液体現像剤による現像像を担持する第４像担持体と、バイアス電圧ＶA1が印加されると共に前記第１像担持体に当接する第１像担持体クリーニングローラと、バイアス
電圧ＶA2が印加されると共に前記第１像担持体に当接する第２像担持体クリーニングローラと、バイアス電圧ＶA3が印加されると共に前記第１像担持体に当接する第３像担持体クリーニングローラと、バイアス電圧ＶA4が印加されると共に前記第１像担持体に当接する第４像担持体クリーニングローラと、前記第１像担持体と前記第２像担持体と前記第３像担持体と前記第４像担持体とから各色の現像像が転写される中間転写体と、バイアス電圧ＶBが印加されると共に前記中間転写体に当接する中間転写体クリーニングローラと、を
有し、前記バイアス電圧ＶA1と前記バイアス電圧ＶBとの間に、ＶA1＜ＶBの関係を、前記バイアス電圧ＶA2と前記バイアス電圧ＶBとの間に、ＶA2＜ＶBの関係を、前記バイアス電圧ＶA3と前記バイアス電圧ＶBとの間に、ＶA3＜ＶBの関係を、前記バイアス電圧ＶA4と前記バイアス電圧ＶBとの間に、ＶA4＜ＶBの関係を有することを特徴とする。
また、本発明の参考実施形態に係る画像形成装置は、キャリアと第１色トナー粒子とを含む液体現像剤による現像像を担持する第１像担持体と、キャリアと第２色トナー粒子とを含む液体現像剤による現像像を担持する第２像担持体と、キャリアと第３色トナー粒子とを含む液体現像剤による現像像を担持する第３像担持体と、キャリアと第４色トナー粒子とを含む液体現像剤による現像像を担持する第４像担持体と、バイアス電圧ＶA1が印加されると共に前記第１像担持体に当接する第１像担持体クリーニングローラと、バイアス電圧ＶA2が印加されると共に前記第１像担持体に当接する第２像担持体クリーニングローラと、バイアス電圧ＶA3が印加されると共に前記第１像担持体に当接する第３像担持体クリーニングローラと、バイアス電圧ＶA4が印加されると共に前記第１像担持体に当接する第４像担持体クリーニングローラと、前記第１像担持体と前記第２像担持体と前記第３像担持体と前記第４像担持体とから各色の現像像が転写される中間転写体と、バイアス電圧ＶBが印加されると共に前記中間転写体に当接する中間転写体クリーニングローラと、を
有し、前記バイアス電圧ＶA1前記バイアス電圧ＶA2と前記バイアス電圧ＶA3と前記バイアス電圧ＶA4と前記バイアス電圧ＶBとの間に、ＶA1＜ＶA4、ＶA2＜ＶA4、ＶA3＜ＶA4、ＶA4＜ＶBの関係を有することを特徴とする。
また、本発明の参考実施形態に係る画像形成装置は、前記像担持体に当接する像担持体クリーニングブレードと、前記中間転写体に当接する中間転写体クリーニングブレードと、を有することを特徴とする。
また、本発明の参考実施形態に係る画像形成装置は、前記中間転写体が弾性層を有することを特徴とする。
また、本発明の参考実施形態に係る画像形成装置は、前記像担持体クリーニングブレードが前記像担持体に当接する角度は、前記中間転写体クリーニングブレードが前記中間転写体に当接する角度より大きいことを特徴とする。
また、本発明の参考実施形態に係る画像形成装置の制御方法は、キャリアとトナー粒子とを含む液体現像剤による現像像を担持する像担持体と、バイアス電圧ＶAが印加される
と共に前記像担持体に当接する像担持体クリーニングローラと、前記像担持体から現像像が転写される中間転写体と、バイアス電圧ＶBが印加されると共に前記中間転写体に当接
する中間転写体クリーニングローラと、を有する画像形成装置の制御方法であって、前記バイアス電圧ＶAと前記バイアス電圧ＶBとの間にＶA＜ＶBの関係を持たせると共に、現像条件が異なる場合には、前記像担持体クリーニングローラに印加するバイアス電圧ＶAと
、前記中間転写体クリーニングローラに印加するバイアス電圧ＶBとを変更するように制
御することを特徴とする。
また、本発明の参考実施形態に係る画像形成装置の制御方法は、前記現像条件が異なる場合としては、現像する記録媒体の種類が異なる場合であることを特徴とする。